(57)【要約】【課題】バックゲートを有するＭＯＳを、回路の動作特性に応じて使い分け、幅広い温度範囲にて高速かつ低電力なＬＳＩを実現する。【解決手段】薄膜埋め込み酸化膜層を持つＦＤ−ＳＯＩを使用し、薄膜埋め込み酸化膜層の下層半導体領域をバックゲートとし、論理回路ブロックにおいてブロック中の負荷の軽い論理回路にはバックゲートの電圧をブロック活性化に合わせてブロック外から制御する。このバックゲート駆動信号を発生する回路、及び回路ブロック出力部など負荷の重い論理回路には、ゲートとバックゲートとを接続したトランジスタを用い、そのゲート入力信号でバックゲートを直接制御する。【選択図】図１
2011211213.tif 000002
【特許請求の範囲】
【請求項１】
複数の第１のトランジスタを含む第１のサブ回路ブロックおよび複数の第２のトランジスタを含む第２のサブ回路ブロックとを有する第１の回路ブロックと、
複数の第１のトランジスタを含む第３のサブ回路ブロックおよび複数の第２のトランジスタを含む第４のサブ回路ブロックとを有する第２の回路ブロックと、
前記第１の回路ブロックに接続された第１の電源選択スイッチと、
前記複数の第１のトランジスタのそれぞれは、第１の埋め込み酸化膜を介して半導体基板上に形成された第１の半導体層を含み、
前記第１の半導体層に形成され、前記第１の半導体層と同じ膜厚を有する第１のソース領域と第１のドレイン領域と、
前記第１のソース領域と第１のドレイン領域との間の前記第１の半導体領域に形成された第１のチャンネル領域が完全空乏領域であり、
第１のゲート絶縁膜を介して前記第１のチャンネル領域の第１の主表面上に形成された第１のゲートと、
前記埋め込み酸化膜の底面と接触して形成された導電層からなり、前記第１のゲートと電気的に接続された第２のゲートと、
前記第１の半導体層を囲むように前記半導体基板に形成された第１の絶縁分離層と、
前記複数の第２のトランジスタのそれぞれは、第２の埋め込み酸化膜を介して半導体基板上に形成された第２の半導体層を含み、
前記第２の半導体層に形成され、前記第２の半導体層と同じ膜厚を有する第２ソース領域と第２のドレイン領域と、
前記第２のソース領域と第２のドレイン領域との間の前記第２の半導体領域に形成された第２のチャンネル領域が完全空乏領域であり、
第２のゲート絶縁膜を介して前記第２のチャンネル領域の第１の主表面上に形成された第３のゲートと、
前記第２の埋め込み酸化膜の底面に接触して形成された導電層からなる第４のゲートと、
前記第２の半導体層を囲むように前記半導体基板に形成された第２の絶縁分離層と、
前記第１サブ回路ブロックの出力信号が、前記第２のサブ回路ブロックに配置された前記複数の第２のトランジスタの前記第４のゲートに入力され、
前記第３サブ回路ブロックの出力信号が、前記第４のサブ回路ブロックに配置された前記複数の第２のトランジスタの前記第４のゲートに入力され、
第２のトランジスタのそれぞれの前記第３のゲートに入力される入力信号が、前記第２のサブ回路ブロックと前記第４のサブ回路ブロックに配置された前記第２のトランジスタの前記第４ゲートに入力される入力信号から独立であり、
電源電圧が前記第１の電源選択スイッチを介して前記第１の回路ブロックに印加されるか、または前記第２の回路ブロックに印加され、
前記第１の電源選択スイッチが前記第１のトランジスタで構成される
ことを特徴とする半導体装置。
【請求項２】
前記第１のサブ回路ブロックは、前記第１のトランジスタで構成された第２の電源選択スイッチを有し、
前記第３のサブ回路ブロックは、前記第１のトランジスタで構成された第３の電源選択スイッチを有し、
前記電源電圧が、前記第２のサブ回路ブロックに印加された時、前記第１の電源選択スイッチがオンし、その後に前記第２の電源選択スイッチがオンし、
前記電源電圧が前記第４のサブ回路ブロックに印加された時、前記第１の電源選択スイッチがオンし、その後に前記第３の電源選択スイッチがオンする
ことを特徴とする請求項１に記載の半導体装置。
【発明の詳細な説明】
【技術分野】
【０００１】
本発明は、高速でかつ低消費電力が要求される半導体装置に係り、特に携帯機器に用いられる低電力プロセッサ用回路に適用して有効な技術に関する。
【背景技術】
【０００２】
近年、半導体装置、特にプロセッサなどの半導体装置に対しては、高速化および低消費電力化が強く求められている。
【０００３】
一般に高速化は、しきい値電圧を低くすることにより達成できる。しきい値電圧を低くする方法としては、ＭＯＳトランジスタの基板に電圧を印加する方法が知られている。例えば、非特許文献１（１９９６年、ＩＥＥＥ，  Ｊｏｕｒｎａｌ  ｏｆ  Ｓｏｌｉｄ−Ｓｔａｔｅ  Ｃｉｒｃｕｉｔｓ，  ＶＯＬ．３１，  Ｎｏ．１１、１７７０頁〜１７７９の“Ａ  ０．９−Ｖ，  １５０−ＭＨｚ，  １０−ｍＷ，  ４  ｍｍ２，  ２−Ｄ  Ｄｉｓｃｒｅｔｅ  Ｃｏｓｉｎｅ  Ｔｒａｎｓｆｏｒｍ  Ｃｏｒｅ  Ｐｒｏｃｅｓｓｏｒ  ｗｉｔｈ  Ｖａｒｉａｂｌｅ  Ｔｈｒｅｓｈｏｌｄ−Ｖｏｌｔａｇｅ  （ＶＴ）  Ｓｃｈｅｍｅ“）に記載のように、ＣＭＯＳの基板（ウエル）に電圧を印加し（この文献のＦｉｇ．２を参照）、しきい値電圧を変えて電流能力を変えることが行われている。
【０００４】
しかしながら、高速化のためにしきい値電圧を低くすると、リーク電流が増大し、それに伴って、消費電力が増大してしまうという問題が生じる。
【０００５】
そこで、高速化と同時に低消費電力を実現するためには、しきい値電圧の低減と共に、リーク電流の増大を抑制する技術が要求される。ＭＯＳ型トランジスタの電流能力を向上させ、かつリーク電流を同時に低減する手法として、トランジスタの動作状態に応じて、バックゲートに印加する電圧を変化させる技術がある。例えば、液晶表示装置の画素を構成する薄膜トランジスタの下層部に、絶縁膜で覆われた導電性の遮光層を形成しこれをバックゲートとし、このバックゲートに電圧を印加することで薄膜トランジスタの電流能力を変え、信号電圧を画素に書き込む時には電流能力を高め、書込み後はリーク電流を抑える構成が知られている（特許文献１（特開２０００−１３１７１３号公報）を参照）。
【０００６】
あるいは、バルク型ＭＯＳトランジスタを用いた回路において、アクティブ時とスタンバイ時に、バックゲートに印加する電圧を制御することにより、高速化と同時に低消費電力化を実現する方法が知られている（特許文献２を参照）。
【先行技術文献】
【特許文献】
【０００７】
【特許文献１】特開２０００−１３１７１３号公報
【特許文献２】特開平１０−３４０９９８号公報
【非特許文献】
【０００８】
【非特許文献１】“Ａ  ０．９−Ｖ，  １５０−ＭＨｚ，  １０−ｍＷ，  ４  ｍｍ２，  ２−Ｄ  Ｄｉｓｃｒｅｔｅ  Ｃｏｓｉｎｅ  Ｔｒａｎｓｆｏｒｍ  Ｃｏｒｅ  Ｐｒｏｃｅｓｓｏｒ  ｗｉｔｈ  Ｖａｒｉａｂｌｅ  Ｔｈｒｅｓｈｏｌｄ−Ｖｏｌｔａｇｅ  （ＶＴ）  Ｓｃｈｅｍｅ“，  Ｊｏｕｒｎａｌ  ｏｆ  Ｓｏｌｉｄ−Ｓｔａｔｅ  Ｃｉｒｃｕｉｔｓ，  ＩＥＥＥ，  １９９６年，ＶＯＬ．３１，  Ｎｏ．１１，ｐ．１７７０−１７７９
【発明の概要】
【発明が解決しようとする課題】
【０００９】
しかしながら、基板（ウエル）にバイアスを印加する方法は、一般にＭＯＳトランジスタのリーク電流が増大するという問題（例えば、ＣＭＯＳで構成された３ＧＨｚのＰＣ用プロセッサの場合、そのリーク電流はチップあたり２０〜３０Ａにもなる）を有している。すなわち、ＣＭＯＳの各トランジスタのソース及びドレイン端子と、基板（ウエル）端子との間にはＰＮ接合が存在する。例えば、ｎＭＯＳでは基板がｐ型、ソースがｎ型である。動作時にしきい値を下げるためにｎＭＯＳでは基板（ウエル）に正の電圧を印加するが、ＰＮ接合がオンしてしまうため印加できる電圧範囲に限定がある。特に温度が高くなると、この範囲は狭くなってしまう。低電力プロセッサ応用では、ソースに対して基板（ウエル）に印加できる電圧の値は室温では０．５Ｖ程度、高温（例８０℃）では０．２Ｖ程度が限界となる。これでは効果が少なく、またこの時もＰＮ接合による電流は小さくは無く、目標とする仕様に合わせることが困難となる。また、正電位のみでなく、０Ｖと負電圧で切り替える場合、基板に印加する電圧に対するしきい値電圧の変化は小さい。このため、所望のしきい値電圧変化を起こすのに必要な電圧振幅は大きく、また、これの電圧振幅で大きな容量を駆動する必要がある。
【００１０】
一方、基板およびソースおよびドレイン間にＰＮ接合を持たないＳＯＩ構造のデバイスに対して、上述の特許文献１に示すバックゲートを用いる方法がある。この方法は、デバイスの動作状態に応じて、各デバイスのバックゲートに印加する電圧を制御する回路を必要とする。しかし、システムを構成する要素回路には、その機能に応じて高速性、および低消費電力化の要求の度合いが異なり、一律に回路を構成するすべてのデバイスにバックゲート電圧を印加する方法は、システム全体の消費電力化に対して効果的ではない。また、それぞれのデバイスに応じて印加電圧を制御する方法を採用しても、回路構成を複雑にする問題がある。
【００１１】
また、上述のバルク型ＭＯＳトランジスタを用いた回路において、バックゲートに印加する電圧を切り替えるためのスイッチ回路を別途必要とする問題がある。
【００１２】
そこで、本発明の目的は、ＭＯＳデバイスのバックゲートに印加する電圧を制御することにより、しきい値電圧を低減すると共にリーク電流を抑制し、高速化かつ低消費電力化を実現する半導体装置を提供することにあり、さらに、バックゲートの制御に必要な回路規模を増大することなく、システムを構成する回路ごとにその回路機能に合わせて使い分けることを特徴とする半導体装置を提供することにある。
【課題を解決するための手段】
【００１３】
本発明の目的は、半導体基板上に、埋め込み酸化膜を介して形成された第１半導体層と、前記第１半導体層に形成され、前記第１半導体層の厚さを有するソース領域およびドレイン領域と、前記ソース領域およびドレイン領域に挟まれるように形成されたチャネル領域と、該チャネル領域の第１主面側に形成された第１ゲートと、前記埋め込み酸化膜の下面に接して形成された導電層からなる第２ゲートと、前記第１半導体層の周囲を囲むように前記半導体基板に形成された絶縁分離層と、を有する完全空乏型ＳＯＩ・ＭＯＳトランジスタを備え、前記第１ゲートが前記第２ゲートに電気的に接続された第１のＭＯＳトランジスタと、前記第１ゲートおよび前記第２ゲートのそれぞれが電気的に独立に制御される第２のＭＯＳトランジスタとを有し、前記第１のＭＯＳトランジスタで構成された第１の回路と、前記第２のＭＯＳトランジスタで構成された第２の回路とを前記半導体基板上に具備する半導体装置により達成できる。
【００１４】
すなわち、完全空乏（ＦＤ）型のＳＯＩ構造において、その埋め込み酸化膜（ＢＯＸ）層が薄い（例えば、３０ｎｍ以下）ことを特徴としたトランジスタを用いる。これにより、このＢＯＸ層をゲート絶縁膜と見立てたバックゲートを駆動して、動的にしきい値の高い状態と低い状態をとることができる。ＢＯＸ層があるため、従来例のようなＰＮ接合は存在せず、このＰＮ接合に起因する電流は流れない。
【００１５】
本発明では、特に、このバックゲートを通常ゲートに接続したＭＯＳトランジスタと、このバックゲートと通常のゲートとを独立に駆動させるＭＯＳトランジスタとを組み合わせて用いることに大きな特徴がある。後者のＭＯＳトランジスタは、予め設定した回路ブロックの中で、ｐＭＯＳ部分のバックゲートを共通接続し、同様にｎＭＯＳ部分のバックゲートを共通接続し、この端子をそれぞれ、回路ブロックの活性化（入力信号を元に論理動作を行い出力信号を出力している状態）に合わせて制御する。前者のＭＯＳトランジスタは、重い負荷を駆動する回路、後者のＭＯＳを用いた回路ブロックで共通に接続したバックゲートを駆動する回路、及び、回路ブロックと電源との間に設けるスイッチＭＯＳとしても用いる。
【００１６】
これによって、バックゲートを駆動することによってＭＯＳトランジスタの駆動能力を高めて高速性を実現でき、また負荷を充放電しない状態では、バックゲートを逆極性に駆動することによってリーク電流の小さな状態とすることができる。よって、高速性と低電力性を兼ね備えることができる。
【発明の効果】
【００１７】
本発明によれば、低電力プロセッサなどの半導体装置の高速化と低消費電力化を、回路規模の増大を抑制し、半導体チップの面積増大を少なくしながら実現するができる。
【図面の簡単な説明】
【００１８】
【図１】本発明の第１の実施例を示す図。
【図２】図１の動作例を示す図。
【図３】ｐＭＯＳの断面図例を示す図。
【図４】ｎＭＯＳの断面図例を示す図。
【図５】ｎＭＯＳの特性例を示す図。
【図６】ゲートとバックゲートを接続した時のｎＭＯＳの特性例を示す図。
【図７】本発明の第２の実施例を示す図。
【図８】電源電圧の例を示す図。
【図９】本発明の第３の実施例を示す図。
【図１０】本発明の第４の実施例を示す図。
【図１１】本発明の第５の実施例を示す図。
【図１２Ａ】本発明におけるＣＭＯＳの平面図例を示す図。
【図１２Ｂ】図１２Ａに示すＡ−Ａ１−Ａ２−Ｂ２−Ｂ１−Ｂの線での断面図。
【図１３】ＣＭＯＳの断面図例を示す図。
【図１４】ＣＭＯＳの断面図例を示す図。
【図１５】ＣＭＯＳの断面図例を示す図。
【図１６】本発明の第６の実施例を示す図。
【図１７】図１６の動作例を示す図。
【図１８】ゲート電極材料とゲート絶縁膜材料を示す図。
【図１９】本発明の第７の実施例を示す図。
【図２０】図１９の制御例を示す図。
【図２１Ａ】温度変化やばらつきを検知し、これを補正する電圧を発生する回路例ＳＶＣを示す図。
【図２１Ｂ】図２１Ａの一部を構成するＶＣＡ  ｇｅｎｅｒａｔｏｒの回路例を示す図。
【図２２】ＣＭＯＳの断面図例を示す図。
【図２３】ＣＭＯＳの断面図例を示す図。
【図２４】ＣＭＯＳの断面図例を示す図。
【図２５】４つのトランジスタで構成するＳＲＡＭ回路例を示す図。
【図２６】６つのトランジスタで構成するＳＲＡＭ回路例を示す図。
【図２７】３つのトランジスタで構成するＤＲＡＭ回路例を示す図。
【図２８】３つのトランジスタで構成するＤＲＡＭ回路例を示す図。
【図２９】論理回路とメモリの配置例を示す図。
【図３０】論理回路とメモリの配置例を示す図。
【図３１Ａ】温度変化やばらつきを検知し、これを補正する電圧を発生する回路ＳＶＣを複数個同じチップ上に搭載する実施例を示す図。
【図３１Ｂ】図３１ＡのＳＶＣ１の構成例を示すブロック配置図。
【図３２】バックゲートを持つ構造例を示す図。
【図３３】バックゲートを持つ構造例を示す図。
【図３４】ＰＤ−ＳＯＩの構造例を示す図。
【発明を実施するための形態】
【００１９】
以下に、本発明を図面を参照しながら、詳細に述べる。
＜実施例１＞
図１は、発明の第１の実施例を示す図である。
【００２０】
この回路は大きく３つのブロックに分けることが出来る。まず、ＤＣＬは、論理回路ブロックであり、ＢＡＣはこのＤＣＬのバックゲートを制御する回路であり、ＰＦＣは一般に負荷の大きな出力端子ＢＯ１を駆動する回路である。
【００２１】
ＤＣＬでは、ここでは論理回路の例としてインバータ回路２段を例にしており、このブロックへの入力がＢＩ１であり、出力がＣＯ１である。電源電圧がＶＣＣであり、接地電圧がＶＳＣである。Ｃ２１とＣ２２がインバータ回路であり、Ｃ１１の入力がＢＩ１であり、Ｃ１１の出力が、Ｃ２２の入力となっており、Ｃ２２の出力がＣＯ１となっている。このＤＣＬの論理回路ブロック、この図の例ではインバータ回路２段、において、この論理回路を構成するＣＭＯＳトランジスタは、そのバックゲートを外部（この論理回路ブロック以外から）から制御できるようになっているものを含むという特徴を持つ。この図では、Ｃ２１とＣ２２において、そのｐＭＯＳトランジスタのバックゲートは纏められてＢＧＰとなっており、また、ｎＭＯＳのバックゲートは纏められてＢＧＮとなっている。これによって、後述するが、この論理回路ブロックの動作モード、動作状態に応じて、バックゲートの電圧を変化させることができる。バックゲート電圧を変化させることによって、ｎＭＯＳ及びｐＭＯＳではそのしきい値電圧を変化させることができる。このためＢＧＰとＢＧＮに発生する信号電圧を変化させることによって、待機状態においては、バックゲート電圧を変化させてしきい値電圧を高い状態を作り出しリーク電流を減少させ、反対に動作時にはバックゲート電圧を変化させてしきい値電圧を低い状態を作り出してオン電流を大きくし大きな駆動電流を得ることができる。
【００２２】
ＢＡＣはこのＢＧＰとＢＧＮを発生させる回路であり、ここでは、ゲートとバックゲートを直接接続したインバータ２段で構成したＣ１としている。電源電圧がＶＣＡであり、接地電圧がＶＳＡである。ＢＡ１が入力信号であり、この信号により、ＢＧＰ及びＢＧＮが切り替わり、これによってＤＣＬに含まれるｎＭＯＳ及びｐＭＯＳのしきい値電圧の状態を変えることができる。
【００２３】
ＰＦＣは、論理回路ブロックＤＣＬの出力ＣＯ１を受けて、長い配線など負荷の重い端子であるＢＯ１を駆動するための回路である。この図では、ゲートとバックゲートを直接接続したインバータ１段で構成したＣ３としているが、ＢＯ１の負荷の大きさに応じて段数は変わる。電源電圧がＶＣＯであり、接地電圧がＶＳＯである。
【００２４】
この３つの部品おいて、電源電圧ＶＣＡ、ＶＣＣ、ＶＣＯの電位は、同じでも良いし異なっていても良い。同じ電位の場合でも、実際のＬＳＩチップのレイアウトでは、外部電源と接続されたパッドから、ＶＣＡ、ＶＣＣ、ＶＣＯについて独立に電源配線を準備する場合もある。ＶＣＡ、ＶＣＣ、ＶＣＯは、例えば１Ｖである。また、ＶＳＣとＶＳＡとＶＳＯは接地電圧としたが、各々これとは異なる電圧でも良い。負電圧も取りえる。
【００２５】
本実施例によれば、ＤＣＬの中のｎＭＯＳ及びｐＭＯＳのしきい値電圧の状態を変えることができるため、ＤＣＬの動作状態に応じて、ＤＣＬの中のしきい値電圧を選択することができる。これによって、高速化が必要な時には、しきい値電圧を絶対値で低く設定し、低速で良い場合や待機状態ではしきい値電圧を高く設定しリーク電流を低く抑えることができる。このようにして高速化と低電力化を達成することができる。
【００２６】
図２は、図１の構成の動作例を説明する図である。ＢＡ１は、ＤＣＬを活性化するか否か、すなわちＤＣＬの状態を変えることを起動する信号であり、ＢＧＰとＢＧＮは、ＢＡ１によって発生されたＤＣＬへの制御信号である。ＢＩ１は、論理回路ブロックＤＣＬへの入力信号であり、ＢＯ１は、ＤＣＬの出力ＣＯ１をＰＦＣにて電流増幅した信号である。ここでは、ＤＣＬを活性化しない時のＢＡ１の電圧レベルが低電圧レベルのＶＳＡであり、ＤＣＬを活性化している時のＢＡ１の電圧レベルが高電圧レベルのＶＣＡとする。
【００２７】
最初の状態では、ＤＣＬは待機状態とすると、ＢＡ１は低電圧レベルであるＶＳＡである。これにより、ＢＡＣでは２段にインバータによって、ＢＧＰはＶＣＡの電圧レベルとなっており、ＢＧＮはＶＳＡの電圧レベルとなっている。これにより、ＤＣＬ内では、ｐＭＯＳ、ｎＭＯＳの両方のＭＯＳトランジスタにおいては、しきい値電圧が高い状態となり、リーク電流を低く抑えることができる。
【００２８】
ＤＣＬを活性化させるために、まず、ＢＡ１がＶＳＡのレベルからＶＣＡのレベルに切り替わる。
これによって、ＢＡＣでは２段にインバータによって、ＢＧＰとＢＧＮの信号が切り替わる。ＤＣＬのｐＭＯＳのバックゲートを制御するＢＧＰでは、高レベルＶＣＡから低レベルＶＳＡに切り替わり、ｎＭＯＳのバックゲートを制御するＢＧＮでは、低レベルＶＳＡから高レベルＶＣＡに切り替わる。これにより、ＤＣＬ内では、ｐＭＯＳ、ｎＭＯＳ両方のしきい値電圧は低くなり、高速動作が可能な状態となる。この後ＢＩ１からＤＣＬに入力する信号は有効な信号となり、この入力信号に応答してＤＣＬにて論理動作が行われる。図１の例ではこの論理動作はインバータ２段からなっている。これは説明を簡単にするためであり、もちろんＮＡＮＤやＮＯＲといった他の論理回路で組んでも良く、また入力ＢＩ１は複数あっても良い。この論理動作の結果が、図１のＣＯ１に出力され、これは出力バッファであるＰＦＣにて駆動力を高めＢＯ１の出力となる。なお、ＢＡＣへ入力するＢＡ１の発生手段としては、図１のブロックの外で作られるが、図１の回路ブロックの前段より前の回路ブロックで作成する、様々な回路ブロックを統括している回路ブロックを用意しここで発生させる、また、入力信号ＢＡ１の状態をモニタする回路を設けてこの信号状態から発生させるなどがある。外部の装置から入力しても良い。
【００２９】
ＤＣＬの論理動作が終わり、これを非活性化させたい時は、再びＢＡ１が切り替わりＶＳＡの電圧レベルとなる。これを受けて、ＢＡＣが動作し、ＢＧＰはＶＣＡに、ＢＧＮはＶＳＡとなる。この信号が、ＤＣＬのｐＭＯＳ及びｎＭＯＳのバックゲートに入力すると、これらのＭＯＳトランジスタのしきい値電圧は再び高くなる。これによってこのＤＣＬは再び非活性の状態となる。
【００３０】
このような動作を行うことにより、本実施例では、高速性と低電力化、低リーク電流化を実現することができる。
【００３１】
次にこのような動作を行うためのＭＯＳトランジスタの構造例を示す。
【００３２】
図３は、ｐＭＯＳの構造例を示す図である。（ａ）に回路図を、（ｂ）に断面図例を示し、端子の名前を対応させてある。
【００３３】
（ｂ）において、ｐ−ｓｕｂは基板でありその端子がＳＢ、ＳＴＩは溝堀型絶縁領域（トレンチアイソレーション領域）、ＵＴＢは埋め込み酸化膜である。ＵＴＢの厚さは、例えば１０〜２０ｎｍである。このＵＴＢの上に、ＭＯＳが形成されており、Ｓはソース端子、Ｇはゲート端子、Ｄはドレイン端子であり、これらは、シリサイドＳＣを介して、ｐ＋領域（ソース）、ｎ領域（チャネル形成領域）、ｐ＋領域（ドレイン）に接続されている。この厚みは、例えば２０ｎｍ程である。ゲートのＳＣとｎ領域の間には酸化膜ＯＸがあり、いわゆるＭＯＳ構造となっている。この酸化膜は、酸化ハフニウムのようないわゆるＨｉｇｈ−ｋ膜の場合もある。なお、ゲートはシリサイドで構成しているが、これは例えばＮｉＳｉである。他の金属材料も考えられる。ＵＴＢ下にはｎ領域があり、これは端子ＢＧと接続されている。よって、回路図（ａ）に示したように、ＢＧはＵＴＢを絶縁膜として、（ｂ）のｎ領域とキャパシタを介した形で接続されている。これは、このＵＴＢを第２のゲート酸化膜と見立てると、ＭＯＳ構造の背面に第２のゲートが存在する構造となっている。よって、このゲートをバックゲート呼ぶことにする。この構造を用いた回路の構成例が図１となる。ＢＧが接続するｎ領域と、ｐ領域であるＳＢが接続するｐ−ｓｕｂとの電圧差が順方向にならないよう、ｐ−ｓｕｂの電位を与えておけば、この範囲内でＢＧに電圧を印加することができ、ＵＴＢの上部のＭＯＳのしきい値を変えることができる。このような構造において、チャネル形成領域が上記例の２０ｎｍ程厚さであると、ソースとドレインにはさまれたゲート下の半導体領域（チャネル領域）は、完全に空乏化している。このような、絶縁膜ＵＴＢの上に完全空乏化したチャネル領域を有する構造は、ＵＴＢの厚さを限定しない時、一般にはＦＤ−ＳＯＩ構造と呼ばれる。
【００３４】
図４はｎＭＯＳの構造例を示す図である。図３のｐＭＯＳの構造例においてｐ型とｎ型を入れ替えた場合と共通部分が多いためこの部分の説明は省略するが、ＵＴＢの上にＭＯＳを構成し、シリサイドで構成したゲートと、ｎ＋とシリサイドで構成したソース及びドレインとからなる。この図４の例では、ＢＧが接続されたｐ領域と、濃度は一般的により薄いが同じくｐ領域であるｐ−ｓｕｂ（端子はＳＢ）との間に、ｎ領域を設けて端子ＴＷで制御できるようにしている。これは、ＢＧが接続されたｐ領域と、同じｐ領域であるｐ−ｓｕｂとを電気的に分離するためである。ＢＧが接続される端子ＢＧの電位は、図１や図２にで説明したように変化させるため、これらの電位がＢＧに印加されても、ｐ−ｓｕｂ（ＳＢ）との電気的な分離がＰＮ接合の逆電位で実現されるような電位をＴＷから与えることができる。なお、図３のｐＭＯＳと図４のｎＭＯＳと２つを分けて図示したが、実際は同じｐ−ｓｕｂの中に、ｎＭＯＳとｐＭＯＳとを形成する。
【００３５】
図５と図６にバックゲート（ＢＧ）に電圧を印加する場合の例を示す。
図５において、（ａ）は回路図であり、（ｂ）はバックゲートＢＧの電圧ＶＢＧＳを変えた時のドレイン電流ＩＤＳのゲート・ソース間電圧ＶＧＳ依存性である。この（ｂ）から例えばゲート・ソース間電圧ＶＧＳが０Ｖの点の電流、すなわちオフ状態でのリーク電流を値を見ると、ＢＧの電圧ＶＢＧＳが０Ｖの時は、ゲート幅１ミクロンメートル当り１０のマイナス１０乗アンペアであるのに対して、ＶＢＧＳが１Ｖの時は、３桁以上大きな電流が流れることが分かる。また、この図は縦軸が対数であるのでわかりにくいが、ＶＧＳが１Ｖの点、すなわちオン電流においてもに２０％程、ＶＢＧＳが１ＶのほうがＶＢＧＳが０Ｖの場合と比較して大きい。このように、同じゲート・ソース間電圧ＶＧＳにおいて、バックゲートの電圧ＶＢＧを変えることで異なる電流を取ることができる。よって、図１、図２で説明したように、回路ブロックＤＣＬにおいてその状態に応じて、リーク電流の小さな状態、又はオン電流の大きな状態を作り出すことができるのである。
【００３６】
図６では、（ａ）の回路図に示すようにバックゲートとゲートを直接接し、ゲートＧのみで駆動する時のドレイン電流ＩＤＳのゲート・ソース間電圧ＶＧＳ依存性を示している。（ｂ）において、Ａの線がこの時の依存性である。なお、Ｂの線は、図５（ｂ）のＶＢＧＳが１Ｖの時依存性の線を示し、Ｃの線は図５（ｂ）のＶＢＧＳが０Ｖの時依存性の線をします。このように、ＶＧＳが０Ｖ、すなわちオフ状態では小さなリーク電流を実現し、かつ、ＶＧＳが１Ｖでは大きなオン電流を実現している。これによって、図１、図２で説明したように回路ブロックＢＡＣや回路ブロックＰＦＣに用いることによって高速かつ低電力、低リーク電流が実現できる。
【００３７】
本発明では、図１のＤＣＬのように纏まった論理回路には図５のようにＢＧを独立に制御する。一般にシステムＬＳＩは多くの回路ブロックが集まってできているが、すべての回路ブロックが常時動いているわけではなく、時間的、空間的に動作している部分は多くの回路ブロックの一部であり、これが時々刻々と移り変わっていく。よって、活性化される回路ブロックのみオン電流が高い状態とし、活性化していない多くの回路ブロックではオフ電流が極めて小さな状態とすることによって、高速化と、低電力化、低リーク化を達成することができる。更に、バックゲートがこの回路ブロックの外から駆動するのでこの回路ブロックの動作が進行していくので、ＤＣＬ内の各回路はバックゲートを駆動することがない。回路ブロック内部では配線が短いので、各回路の駆動する負荷は殆どゲート容量で決まってしまう。よって、このゲート容量を増やさないことが重要であり、これを達成している。一方、図１のＢＡＣは、ＤＣＬを活性化するか否かを判断する回路であり、バックゲートはこの回路内で駆動しなければならない。一般に活性化は纏まった時間単位で行われるため、その最初と最後にＢＡＣは駆動できれば良く、一方でいつでも活性化状態に移る信号を受け付けられる状態でなければならない。よって、制御が簡単である図６の接続法を用いる。ＰＦＣは大きな負荷を駆動するのでゲート容量の増加の影響が小さくなる。よって、こちらも制御の簡単な図６の方法を用いるのである。
【００３８】
以上、薄膜Ｂｏｘ層を持つＦＤ−ＳＯＩを使用し、ゲートとバックゲートとを接続した第１のトランジスタと、動作時と待機時とでバックゲートの電圧を他の端子から変える第２のトランジスタとを、組み合わせて用いた。これにより、論理回路ブロックにおいてブロック中の負荷の軽い論理回路には第２のトランジスタを用い、このバックゲートを共通接続し、このゲートをブロック活性化に合わせて制御できる。また、このブロック活性化を行う回路、及び回路ブロックの出力部など負荷の重い論理回路には第１のトランジスタを用い、そのゲート入力信号でバックゲートを直接制御できる。これによって、高速化と低電力化、低リーク化を図ることができる。
＜実施例２＞
次に、図１のＤＣＬはこれまでの説明のように論理回路ブロックであり、ＢＡＣによって必要な時に活性化され演算を行なうが、図７に他の例を示す。
【００３９】
図７では、ＤＣＬとして、ＮＡＮＤ回路Ｃ２及びＮＯＲ回路Ｃ３を含むものを示した。共にｐＭＯＳのバックゲートをまとめてＢＧＰとし、ｎＭＯＳのバックゲートを纏めてＢＧＮとしている。入力はＤＣＬの外からはＢＩ１のみとしたが、他の入力がある場合もある。また、Ｃ２Ｎ１やＣ３Ｎ１は図には示していないが、ＤＣＬ内部の他の回路の出力と接続されており、この出力信号が入力している。ＰＦＣはここではインバータ２段としている。図１と同様に、ＢＡＣとＰＦＣではゲートとバックゲートとを直接接続した構成を用いている。
【００４０】
図８に電源電圧の例を示す。ケース１は単一電源電圧で用いる場合であり（通例に従い接地電圧０Ｖを数に入れず）、１Ｖの電源電圧のみを用いる。すなわち、ＶＣＡ、ＶＣＣ、ＶＳＣは１Ｖであり、ＶＳＡ、ＶＳＣ、ＶＳＯは０Ｖである。この時、ＳＧＰ及びＳＧＮは、０Ｖ又は１Ｖの電圧となる。このような簡単な電圧構成でありながら、本発明を用いれば、図５や図６に示したようにしきい値電圧を変化させることができるため、動作時のオン電流を大きくとりながら、待機時のオフ電流を極めて小さく抑えることができる。図３、図４に示したように、埋め込み酸化膜ＵＴＢの厚さは１０〜２０ｎｍであり、完全空乏型のＳＯＩ  ＭＯＳを用いている。また、ゲート材料はＮｉＳｉを例えば用いている。一方、オン電流を更に大きくし、オフ電流を更に小さくすることもできる。この場合がケース２である。ここで特徴的なことは、図１や図７のＢＡＣの電源において、ＶＣＡを２Ｖ、及びＶＳＡを−１Ｖとすることである。これによってバックゲートの振幅が大きくなり、例えばｎＭＯＳを例に取ると、バックゲートに１Ｖではなく２Ｖを印加することによってオン電流は増加するし、反対にバックゲートに０Ｖではなく−１Ｖを印加するとオフ電流は減少する。なお、ここでは示さないが、図３や図４のＴＷやＳＢの電圧もこれに対応して適切な電圧を与える。
＜実施例３＞
図９は、ＤＣＬに用いられる他の論理回路の例を示したものである。ｐｃ、ｃａｒｒｙ、ｓ０、ｓ１、ｓｕｍが入出力信号である。共にｐＭＯＳのバックゲートを纏めてＢＧＰに接続し、ｎＭＯＳのバックゲートを纏めてＢＧＮに接続する。また、この実施例では、ＧＫと示した回路が一部のノードに置かれている。これは信号を保持するラッチ回路である。このラッチ回路は待機時に接続するノードの信号レベルを安定に保持することに用いる。動作時は、このノードを実際に駆動する回路を邪魔しないように駆動能力は弱い必要がある。
＜実施例４＞
この例を図１０と図１１に示す。回路としては互いの出力を入力と接続した構成となる。この回路において、図１０の例では、バックゲートを電源に接続してしまう。すなわち、ｐＭＯＳではＶＣＣに接続し、ｎＭＯＳではＶＳＣに接続する。このように接続すれば、このラッチ回路を、回路ブロックの活性化時、動作には他の回路の動作を邪魔しない駆動能力としておけば、非活性化時、待機時になっても、バックゲートをＳＧＰやＳＧＮに接続した他の回路とことなり、その駆動能力が落ちることがない。更に、図１１に示す本実施例によれば、待機時にはしっかりとその時のレベルを保持する駆動能力を得、かつ動作時には他の回路の動作を邪魔しないような小さな駆動力に変えることができるのである。すなわち、ｐＭＯＳのバックゲートをＢＧＮへ、ｎＭＯＳのバックゲートをＢＧＰへ、これまでと逆に接続させている。このように接続すれば、例えばｎＭＯＳを例に取ると、動作時にはそのバックゲートは低いレベルであるのでオン電流は小さい、一方、待機時にはそのバックゲートには今度は高い電圧が印加されるのでオン電流は大きく、しっかりとその電圧レベルを保持することになる。
【００４１】
図１２Ａと図１２Ｂは、本発明におけるＣＭＯＳ構造の例を示す図である。図１２Ａは平面図であり、Ａ−Ａ１−Ａ２−Ｂ２−Ｂ１−Ｂの線での断面図が図１２Ｂである。ｎＭＯＳとｐＭＯＳとは、ｐ−ｓｕｂ上下記で説明する構造をつけた形で形成され、両者は溝堀型絶縁領域であるＳＴＩで分離される。ｐＭＯＳについてまず述べると、埋め込み酸化膜ＵＴＢ上の構造は図３で示した同じくＵＴＢ上の構造と同じである。ＵＴＢ下にはｎ領域が置かれ、これがバックゲートとなっている。このバックゲートはｎ＋を介して半導体表面に取り出す。ｎ＋取り出し領域と、ＵＴＢを含むｐＭＯＳ部分との分離領域が、ＳＴＩよりも浅い溝堀型絶縁領域であるＳＳＴＩである。ｎＭＯＳ部分では、埋め込み酸化膜ＵＴＢ上の構造は図４で示した同じくＵＴＢ上の構造と同じである。ＵＴＢ下にはｐ領域が置かれ、これがバックゲートとなっている。このバックゲートはｐ＋を介して半導体表面に取り出す。ｐ＋取り出し領域と、ＵＴＢを含むｎＭＯＳ部分との分離領域が、ＳＴＩよりも浅い溝堀型絶縁領域であるＳＳＴＩである。
更に、ＵＴＢ下ｐ領域と、同じｐ型半導体であるｐ−ｓｕｂとの分離に、ｎ型半導体であるｄｎ領域を設ける。このｄｎ領域は、ＳＳＴＩ領域の下に配置したｎ領域と、ｎ＋領域とで半導体表面に取り出す。ＳＴＩは、このように構成されるｎＭＯＳとｐＭＯＳとを分離している。ｄｎ領域と、ｐＭＯＳのバックゲート領域であるｎ領域も分離している。これによって、回路の動作状態に応じてしきい値電圧を変えることができ、高速かつ低電力・低リーク電流である半導体装置を実現できる。
【００４２】
図１３と図１４は、別の構造例を示す図である。ここでは、図１２Ｂとの構造の差のみを示す。図１３において、図１２では溝堀型絶縁領域ＳＴＩによってｎＭＯＳとｐＭＯＳとを分離していたが、ここでは溝堀型絶縁領域はＳＳＴＩのみを用いる構造としている。このために、ｎＭＯＳにおいて、ｄｎでバックゲート部分をすべて覆う。このようにすれば、ＵＴＢより下の領域では、ｎＭＯＳのｄｎとｐＭＯＳのｎ領域とは、ｐ領域であるｐ−ｓｕｂによって分離することができる。ＵＴＢ及びＵＴＢより上部の部分はＳＳＴＩによって分離することができる。これによって、ＳＴＩを形成せずに、本発明の構造を実現できる。図１４はｎＭＯＳのｄｎとｐＭＯＳのｎ領域との間に、ｎＭＯＳのバックゲート領域に用いるｐ領域を形成する時に、ｐ領域を形成する例である。これによって、ｎＭＯＳとｐＭＯＳとをより接近させて配置することができる。
【００４３】
図１５は、本発明におけるＣＭＯＳ構造の他の例を示す図である。これは、ＴＢという埋め込み酸化膜でバックゲート部分とｐ−ｓｕｂとを分離した構造となっている。このため、ｎＭＯＳではＵＴＢの下にｐ領域のバックゲートを、ｐＭＯＳではＵＴＢの下にｎ領域のバックゲートを作り、それぞれ、ｎＭＯＳのｐ領域バックゲートはｐ＋領域で、ｐＭＯＳのｎ領域バックゲートはｎ＋領域で半導体表面に取り出す。ｎＭＯＳのｐ領域バックゲートとｐ−ｓｕｂとをｎ領域を設けて分離する必要はない。本実施例によれば、ｎＭＯＳとｐＭＯＳとをより接近させて配置することが可能となり、面積の小さな半導体装置を実現できる。
【００４４】
図１６は本発明の他の構成例を示した図である。図１や図４の回路構成との差は、ＢＡＣとＤＣＬとＰＦＣをセットにした回路ブロックが複数個（ｎ個）存在し、これらの電源端子を纏め、ＡＡＣで示したスイッチによって電源と接続した点である。このＡＡＣを図３等に示した構造のＭＯＳを用い、かつ、ゲートとバックゲートとを接続した点である。この構成によれば、ＡＡＣを構成するゲートとバックゲートとを接続したＭＯＳによって、ＢＡＣとＤＣＬとＰＦＣをセットにした回路ブロックが動作するのに必要な電流を供給することができ、また、待機時には極めて小さなリーク電流とすることができるのである。このＡＡＣの制御信号がＤＳである。この図１６において、ＢＡＣとＤＣＬとＰＦＣをセットにした部分をＢＬＫと呼びこれがｎ個あり、このｎ個がひとつのＡＡＣに接続され、この単位をＡＲＥＡと呼ぶことにする。各々のＢＬＫを活性化させる信号がＡＢ１〜ＡＢｎである。
【００４５】
図１７は図１６の方式の動作例を示す図である。まず、ＤＳがハイレベルからローレベルに切り替わる。これによって、図１６に示したようにＡＡＣを構成するｐＭＯＳはオン状態となる。これによってＡＲＥＡと名づけた領域と電源とが接続され活性状態となる。これをＡＲＥＡ  ＡＣＴＩＶＥと呼ぶ。これが完了すると、ＡＢ１からＡＢｎの内、必要な部分のみが活性化される。図１７ではＡＢ１のみが選択された例を示している。ＡＢ１が、ハイレベルからローレベルとなり、ＢＬＫ１内のＤＣＬのＭＯＳはしきい値電圧が小さな値となり、高速動作が可能となる。この後、入力信号ＢＩ１の信号が有効となり、ＢＯ１に動作の結果が出力される。このＢＬＫを非活性化させるには、ＡＢ１を再びハイレベルに戻す。これによって、ＤＣＬ内のＭＯＳのしきい値電圧は高い状態となり、待機状態となる（図ではＢＬＫ  Ｓｔａｎｄ−ｂｙと表記）。この状態ではリーク電流が小さくなるが、各ノードの電圧信号は保持されるため、再びＡＢ１が切り替われば直ぐに動作可能な状態に入ることができる。このように待機状態、非活性化状態から、直ちに動作状態、活性化状態に入れるのも本発明の特長のひとつである。ＡＲＥＡ全体を待機状態、非活性化状態とするには、ＤＳを再び切り替えてやれば良い。
【００４６】
図１８に本発明のＭＯＳで用いるゲート電極の材料と、ゲート酸化膜材料を示す。例として（ａ）にｎＭＯＳの構造例を示した。（ｂ）に示すように。ゲート電極ＳＣの材料の例としては、（ａ）に示したようなサリサイド構造に限定する必要はなく、金属ゲート材料を選ぶことができる。この材料は、目標とするしきい値電圧の値によって決まってくる。このゲート材料で決まるしきい値を中心に、バックゲートで制御することになる。一方、ゲート酸化膜の方は、主にＨｉｇｈ−ｋ膜と呼ばれる材料を示した。一般に、ゲート電極にこの図で示したような材料を用いるとしきい値電圧はこちらで決まり、Ｈｉｇｈ−ｋ膜を持ち込んでしきい値電圧の変化は小さいと言われており、Ｈｉｇｈ−ｋ膜の良さを引き出すことができる。
【００４７】
図１９は、本発明の他の実施例を説明するための図であり、ＢＡＣとＤＣＬの一部のみを示している。この実施例で特徴的なことは、ＶＣＡとＶＳＡが動作温度や製造条件に応じて値を変えることができることである。これによって、図２０（ａ）に示すように、温度が高くなるに従って、例えばＶＣＡをより高く、ＶＳＡをより低くすることにより温度変化によるＤＣＬの特性変化を小さくすることができる。または、ゲート電材料によって粗方は決まるしきい値電圧であるが、製造のばらつきによってその値はばらつく。（ｂ）に示したように、このばらつきをキャンセルさせる電圧を発生させることもできる。
【００４８】
図２１Ａと図２１Ｂに、この温度変化やばらつきを検知し、これを補正する電圧を発生する回路例ＳＶＣを示す。Ｖｔｈ  ｄｅｔｅｃｔｏｒ内部のＭＯＳトランジスタは本発明の構造のＭＯＳトランジスタであり、これに流れる電流をモニタし、抵抗とで決まる電圧をＶＤＥに発生する。参照電圧としてこの例ではバンドギャップジェネレータを用い、この発生電圧がＶＢＧである。Ｖｔｈ  ｄｅｔｅｃｔｏｒ内の抵抗とＭＯＳのサイズを調整し、ＶＢＧ近傍でＶＤＥが変化するようにしておく。このＶＤＥとＶＢＧの差をアンプで検知すれば、温度やばらつきによらず一定の電圧をなるように、ＶＣＡを発生することができ、このＶＣＡの変化を元に、ＶＳＡ  ｇｅｎｅｒａｔｏｒにてＶＳＡを発生することができる。
【００４９】
図２２により小さな面積を実現するための本発明の実施例を示す。図１２と比較して、これからの変更点のみを述べる。この図２２の実施例の特徴は、ｄｎの中にｎＭＯＳとｐＭＯＳとを作成し、バックゲートをＭＯＳとｐＭＯＳとで共通とした点である。すなわち、図１２におけるｎＭＯＳのバックゲートであるｐ領域を、ｐＭＯＳのバックゲートとしても用いている。これによって、図１２において、ｎＭＯＳとｐＭＯＳとを分離していたＳＴＩが不要となる。これによってより小さな面積が必要な、例えばメモリセルなどを作成する時に効果がある。
【００５０】
図２３は、図２２と異なり、図１２におけるｐＭＯＳのバックゲートであるｎ領域を、ｎＭＯＳのバックゲートとしても用いる。これも小さな面積を実現できるためメモリセルなどを作
成する時に効果がある。
【００５１】
図２４は、ｎＭＯＳのバックゲートであるｐ領域と、ｐ−ｓｕｂ領域との分離を行わない構成である。この実施例は、第１に例えば従来のバルクでレイアウトデータや回路を作成した資産をそのまま用いたい時に使うことができる。第２、この構成は、ｐＭＯＳのバックゲート制御は可能であるため、ｐＭＯＳのみバックゲート制御を行えば良い応用に用いることができる。これには、メモリセルやパスゲート論理などで効果がある。
【００５２】
図２５〜図２８には、メモリセルの例を示す。
図２５は、４つのトランジスタＴｒ１，Ｔｒ２，Ｄｒ１，Ｄｒ２で構成したＳＲＡＭの例であり、Ｔｒ１とＴｒ２のバックゲートを、メモリセルの内部ノードであるＮ１とＮ２で制御している。Ｂ１とＢ２は信号を読み出すビット線であり、Ｗ１がワード線である。この構成によれば、Ｔｒ１とＴｒ２の内、必要な片方のＭＯＳのしきい値電圧を高く、他方を低く設定することができ、このメモリセルの電力を下げることができる。
【００５３】
図２６には、６つのトランジスタＴｒ１，Ｔｒ２，Ｌｄ１，Ｌｄ２，Ｄｒ１，Ｄｒ２で構成したＳＲＡＭの例であり、Ｌｄ１とＤｒ１のバックゲートがそのゲートと接続され、同様にＬｄ２とＤｒ２のバックゲートがそのゲートと接続された構成を取る。この構成によれば、このメモリセルの安定度を高めることができる。
【００５４】
図２７は、３つのトランジスタで構成したＤＲＡＭに本発明を適用した実施例である。図２７では、Ｍ２のゲートの電荷の有無で情報を記憶する。Ｍ１は、Ｍ２のゲートに電荷を貯めたり出したりする、情報の書込みを行うトランジスタである。Ｍ１のゲート信号Ｗ１を書込みワード線と呼び、Ｍ１のソース／ドレイン端子の他方に接続されたＢ１を書込みビット線と呼ぶ。Ｍ２では、ゲートの電荷の有無によってその流しうる電流が異なるが、このＭ２と直列に接続されたＭ３によって選択的にこの情報を読み出す。このＭ３のゲート信号Ｗ２を読出しワード線と呼び、Ｍ３のドレイン端子に接続されたＢ２を書込みビット線と呼ぶ。図２７では、Ｍ２のゲートとバックゲートを接続している。これによって、Ｍ２のゲートに電荷がある状態では、この電圧が高いのでＭ２のしきい値電圧が下がり大きなＭ２のドレイン電流を流せることになり、一方、Ｍ２のゲートに電荷がない状態では、この電圧が低いのでＭ２のしきい値電圧が上がり小さな電流しかＭ２には流せなくなる。よって、情報の差による電流差を、この制御を行わない状態と比べると大きくすることができる。
【００５５】
図２８は、他の実施例である。図２７の構成との差のみ述べる。この実施例では、Ｍ２に加えてＭ３においてもゲートとバックゲートを接続している。これによって、読み出し時により大きな電流を取ることができ、一般に、Ｍ１はＭ２のゲートで電荷の出し入れのみなので小さな駆動能力で良いが、Ｍ３は電流を読み出すため駆動能力が大きな必要があるが、本発明を用いないと、大きな電流流すためにはそのサイズを大きくしなければならない。これはメモリセル面積の増大となり好ましくない。
【００５６】
図２９〜図３１Ａ、Ｂは、これまでに述べた論理回路方式と、メモリセル方式の組み合わせを示した実施例であり、半導体装置のチップにどのような部品を搭載するかを示している。ここでは、説明に必要な部分のみを示しているが、もちろん、他にＩＯ回路やセンサ、無線、不揮発メモリなどが必要に応じて搭載される。
【００５７】
図２９は、論理回路にはバックゲート制御を行わないが、メモリにはバックゲート制御を行い、図２５を例とするような４つのトランジスタを用いメモリセルを用いるものである。４ＴｒＳＲＡＭがこの４つのトランジスタを用いメモリセルで構成したメモリ部分であり、Ｌｏｇｉｃ  ｗ／ｏ  Ｂａｃｋが論理回路部分である。この構成を用いる断面構造を簡単にできる特長があるため低コストとなる。すなわち、メモリ部分には図２３の構造を用い、論理部分には図２４の構造を用いる。この２つの構造は同じプロセスとなる。
【００５８】
図３０は、論理部にバックゲート制御を行う方式含んだ実施例である。メモリ部分（４ＴｒＳＲＡＭ）にはバックゲート制御を行い４つのトランジスタで構成したメモリセルによるメモリと図２６を例とするような６つのトランジスタを用いメモリセルを用いたメモリ部分（６ＴｒＳＲＡＭ）を搭載し、論理回路部分（Ｌｏｇｉｃ）には、図１を例としたようなバックゲート制御を行う回路が搭載される。キャッシュメモリとしてこの６ＴｒＳＲＡＭを用い、ワーク用のメモリとして（トランジスタ数が６つより４つの方が少ないため）面積の小さな４ＴｒＳＲＡＭを用いるとことができ、半導体装置全体の性能を向上することができる。この実施例を用いることにより、これまでの実施例で説明したような高速、低電力な論理回路とこの動作に必須となるメモリを低面積で低電力なものを搭載することができる。
【００５９】
図３１Ａは、図２１Ａで説明した温度変化やばらつきを検知し、これを補正する電圧を発生する回路ＳＶＣを複数個同じチップ上に搭載する実施例である。これによって、チップ上で均一と見做せる領域又は回路形態毎にＳＶＣを設けることにより、よりきめ細かな制御を行うことができる。この例では、チップ上を４つの領域に分割し、ＳＶＣ１〜４に示した回路で各々に適したＶＣＡとＶＳＡを発生する。例えば、図３１Ｂに示すように、ＳＶＣ１では、ＶＣＡ１とＶＳＡ１を発生し、これらの電圧がブロック配置例に示したようにこの領域内のＢＡＣ、ＤＣＬに給電される。
【００６０】
図３２〜図３４に、バックゲート制御の例を示す。
【００６１】
図３２は本発明で用いる構造を模式的に示したものである。ソースＳ、ドレインＤ、ゲートＧ１、及びゲート酸化膜ＯＸを有するＭＯＳが、埋め込み酸化膜ＵＴＢの上に載り、ＳＯＩ構造を作っており、このＵＴＢの下の基板の半導体部分をバックゲートＧ２とするものである。ここで、ゲート酸化膜ＯＸの厚さがＴＯＸであり、ソースＳやドレインＤの厚さがＴＳＯＩ、埋め込み酸化膜ＵＴＢの厚さがＴＢＯＸであるが、ＴＯＸはＨｉｇｈ−ｋ膜を用いる場合は異なるが２ｎｍ以下、ＴＳＯＩは２０ｎｍ程度、ＴＢＯＸは１０〜２０ｎｍ程度である。
【００６２】
図３３は他の構造を示す。この構造では、バックゲートＧ２を、ゲートＧ１と同様な導電性の材料で構成するものである。この構造では、バックゲートＧ２とゲートＧ１の位置が上下でずれないようにする必要があるが、バックゲートＧ２を高精度に作成することができる。
【００６３】
図３４はＰＤ−ＳＯＩと呼ばれるＴＳＯＩが厚い構造での例である。部分空乏型と呼ばれ、この場合、図に示すようにゲート下の領域に電位を与える端子がＧ２となる。ソースＳと、ゲート下の領域との間のＰＮ接合がオンしないという条件でＧ２に電位を与える。
【符号の説明】
【００６４】
ＤＣＬ…論理回路ブロック、ＢＡＣ…バックゲート制御信号発生回路ブロック、ＰＦＣ…出力バッファ回路ブロック、ＵＴＢ…埋め込み酸化膜、ＯＸ…ゲート酸化膜、ＳＴＩ…溝堀型絶縁領域、ＳＳＴＩ…溝堀型絶縁領域（ＳＴＩよりも浅い）、ＴＢ…埋め込み酸化膜（ＵＴＢの下層にある）。
【図１】
2011211213.tif 000003
【図２】
2011211213.tif 000004
【図３】
2011211213.tif 000005
【図４】
2011211213.tif 000006
【図５】
2011211213.tif 000007
【図６】
2011211213.tif 000008
【図７】
2011211213.tif 000009
【図８】
2011211213.tif 000010
【図９】
2011211213.tif 000011
【図１０】
2011211213.tif 000012
【図１１】
2011211213.tif 000013
【図１２Ａ】
2011211213.tif 000014
【図１２Ｂ】
2011211213.tif 000015
【図１３】
2011211213.tif 000016
【図１４】
2011211213.tif 000017
【図１５】
2011211213.tif 000018
【図１６】
2011211213.tif 000019
【図１７】
2011211213.tif 000020
【図１８】
2011211213.tif 000021
【図１９】
2011211213.tif 000022
【図２０】
2011211213.tif 000023
【図２１Ａ】
2011211213.tif 000024
【図２１Ｂ】
2011211213.tif 000025
【図２２】
2011211213.tif 000026
【図２３】
2011211213.tif 000027
【図２４】
2011211213.tif 000028
【図２５】
2011211213.tif 000029
【図２６】
2011211213.tif 000030
【図２７】
2011211213.tif 000031
【図２８】
2011211213.tif 000032
【図２９】
2011211213.tif 000033
【図３０】
2011211213.tif 000034
【図３１Ａ】
2011211213.tif 000035
【図３１Ｂ】
2011211213.tif 000036
【図３２】
2011211213.tif 000037
【図３３】
2011211213.tif 000038
【図３４】
2011211213.tif 000039